(57)【要約】  【課題】応援に適したものでありながら、飛んでくるボールにも瞬時に対応可能な応援捕球用具を提供する。  【解決手段】把持可能なグリップ部４を有し先端部を開口させた中空状をなす応援用具本体２と、応援用具本体２における内部空間に収容され得る捕球網３とを備え、応援用具本体２を、グリップ部４と、グリップ部４に接続した基端部を支点に通常姿勢と開き姿勢との間で回動可能な複数の開閉板５１からなる受け部５と、一回の操作力を受けることによって複数の開閉板５１を通常姿勢と開き姿勢との間で同期して姿勢変更させる開閉機構６と、複数の開閉板５１を連結する連結部材７とを用いて構成し、開閉機構６により複数の開閉板５１が通常姿勢から開き姿勢に姿勢変更する動作に伴って捕球網３が広がるようにした。  【選択図】図３
2010115289.tif 000002
【特許請求の範囲】
【請求項１】
把持可能なグリップ部を有し先端部を開口させた中空状をなす応援用具本体と、当該応援用具本体における内部空間に収容され得る捕球網とを具備してなり、
前記応援用具本体が、
前記グリップ部と、
基端部を当該グリップ部に接続し、当該基端部を支点に、起立した通常姿勢と、当該通常姿勢よりも外方へ傾倒した開き姿勢との間で回動可能な複数の開閉板からなる受け部と、
一回の操作力を受けることによって前記複数の開閉板を同期させて前記通常姿勢と前記開き姿勢との間で姿勢変更させる開閉機構と、
前記複数の開閉板を連結する連結部材とを備えたものであり、
前記捕球網が、少なくとも周縁部の全部又は一部を前記連結部材に取り付け、前記開閉機構により前記複数の開閉板が前記通常姿勢から前記開き姿勢に姿勢変更する動作に伴って広がるものであることを特徴とする応援捕球用具。
【請求項２】
前記開閉機構が、
前記グリップ部及び前記受け部の内部空間に起立姿勢で配設したシャフトと、
当該シャフトに沿って移動可能なスライダと、
当該スライダを前記グリップ部側から前記受け部側に向かって付勢する圧縮バネと、
当該圧縮バネを圧縮させた状態に固定可能な固定部と、
当該固定部による前記圧縮バネの圧縮状態を解除し得る解除部と、
基端部を前記スライダに枢支するとともに先端部を前記開閉板に枢支して、前記スライダの前記受け部側への移動に連動して前記開閉板を前記開き姿勢をとる方向に向かって押圧する押圧部とを備えてなり、
前記解除部に対して所定の操作力を付与する一操作によって、前記圧縮バネの圧縮状態を解除して、前記複数の開閉板を前記通常姿勢から前記開き姿勢に姿勢変更させるものである請求項１に記載の応援捕球用具。
【請求項３】
前記開閉機構が、
前記受け部側へ移動した位置にある前記スライダを前記グリップ部側へ引き戻す引き込み部を備え、
当該引き込み部を引っ張ることにより、前記圧縮バネを圧縮状態にして、前記開閉板を前記開き姿勢から通常姿勢に姿勢変更させ、前記捕球網を前記受け部の内部空間に収容するものである請求項２に記載の応援捕球用具。
【請求項４】
前記開閉機構が、
前記シャフトのうち前記受け部側の先端部又はその先端部近傍に設けられ、且つ前記受け部側へ移動した前記スライダが当たり当該スライダのそれ以上同一方向への移動を規制する規制部を備え、
当該規制部及び前記押圧部によって前記開閉板の開き姿勢時における最大開き角度を決定し得るようにしている請求項２又は３の何れかに記載の応援捕球用具。
【請求項５】
前記捕球網が前記複数の開閉板の前記通常姿勢から前記開き姿勢への姿勢変更に伴って広がる際に前記規制部に引っ掛かることを防止する引っ掛かり防止手段を備えている請求項４に記載の応援捕球用具。
【請求項６】
前記引っ掛かり防止手段が、前記規制部と前記各開閉板とを連結するように設けた伸縮可能な複数の紐部材を備えてなり、前記開閉板が前記通常姿勢をとった状態で前記受け部の内部空間に収容される前記捕球網の底部を複数の前記紐部材により保持するものである請求項５に記載の応援捕球用具。
【請求項７】
前記引っ掛かり防止手段を、前記規制部のうち、前記開閉板が前記通常姿勢をとる前記受け部の内部空間に収容される前記捕球網の底部に巻き込まれ得る部分に設けた湾曲面又は傾斜面により構成している請求項５に記載の応援捕球用具。
【発明の詳細な説明】
【技術分野】
【０００１】
本発明は、捕球可能な応援用具に関するものである。
【背景技術】
【０００２】
野球場等において、メガホンやバット形状をなす応援用具を手に持って応援しながら観戦する姿がよく見受けられる。一方で、上述した応援用具では観戦エリアに飛んできたボールを捕ることができないため、グローブを持参して着用する姿も見受けられる。なお、観戦中いつ飛んでくるのかを予想できないボールを捕るために常時グローブを着用することは煩わしく、必要な時だけ、つまりボールが飛んできた時だけグローブを着用するようにしている人が多い。
【０００３】
また、特許文献１には、子供向けの遊具として、バットのグリップ部とグローブとを組み合わせたものが開示されている。
【特許文献１】特開２００６−５５４９８号公報
【発明の開示】
【発明が解決しようとする課題】
【０００４】
特許文献１記載の遊具は、グリップを握る一方で、グローブの一部に指を挿入して動かすことによってグローブを開いて捕球可能な状態にすることが要求される。
【０００５】
そのため、グローブの一部に指を挿入せずにグリップ部だけを握っている状態において、観戦エリアに飛んできたボールを捕球しようとする場合には、指をグローブの一部に挿入し、次いで指を動かしてグローブを広げるという少なくとも２つのアクションが必要であり、飛んできたボールに対して瞬時に対応できないという問題がある。
【０００６】
また、特許文献１記載の遊具は子供向けのものであるため、グローブ自体が小さく、捕球面積も当然のことながら小さく、捕球し難いという問題がある。捕球面積を大きくするためにグローブ自体を大きくする態様も考えられるが、用具（遊具）の大型化を招来し、観戦時に持参するものとしては不適切なものとなり、応援に不向きなものとなり得る。
【０００７】
本発明は、このような課題に着目してなされたものであって、応援に適したものでありながら、飛んでくるボールにも瞬時に対応可能な応援捕球用具を提供することにある。
【課題を解決するための手段】
【０００８】
すなわち、本発明の応援捕球用具は、把持可能なグリップ部を有し先端部を開口させた中空状をなす応援用具本体と、応援用具本体における内部空間に収容され得る捕球網とを備えたものである。そして、応援用具本体を、グリップ部と、グリップ部に枢着した基端部を支点に起立した通常姿勢と通常姿勢よりも外方へ傾倒した開き姿勢との間で回動可能な複数の開閉板からなる受け部と、一回の操作力を受けることによって複数の開閉板を同期させて通常姿勢と開き姿勢との間で姿勢変更させる開閉機構と、複数の開閉板を連結する連結部材とを用いて構成し、少なくとも周縁部の全部又は一部を連結部材に取り付け捕球網が、開閉機構により複数の開閉板が通常姿勢から開き姿勢に姿勢変更する動作に伴って広がるように構成したことを特徴とする。
【０００９】
このようなものであれば、受け部を構成する各開閉板を通常姿勢にした状態ではグリップ部を片方の手に持って受け部を反対の手に叩いたりする等、通常のメガホンやバット型応援用具として使用することができるとともに、ワンアクションで各開閉板を通常姿勢から開き姿勢へ姿勢変更させて捕球網が広げるため、ボールが飛んできた場合に瞬時に捕球体勢をとることができ、機敏に対応できる。
【００１０】
また、本発明の応援捕球用具は、開閉機構を、グリップ部及び受け部の内部空間に起立姿勢で配設したシャフトと、シャフトに沿って移動可能なスライダと、スライダをグリップ部側から受け部側に向かって付勢する圧縮バネと、圧縮バネを圧縮させた状態に固定可能な固定部と、固定部による圧縮バネの圧縮状態を解除し得る解除部と、基端部をスライダに枢支するとともに先端部を開閉板に枢支して、スライダの受け部側への移動に連動して開閉板を開き姿勢をとる方向に向かって押圧する押圧部とを用いて構成している。そして、解除部に対して所定の操作力を付与する一操作によって、圧縮バネの圧縮状態を解除して、複数の開閉板を同期させて通常姿勢から開き姿勢に姿勢変更させるようにしているので、１つの操作のみによって各開閉板を通常姿勢から開き姿勢に適切に姿勢変更させることができ、この開閉板の姿勢変更により捕球網を広げることができる。
【００１１】
特に、応援用具本体を構成する開閉機構が、受け部側へ移動した位置にあるスライダをグリップ部側へ引き戻す引き込み部を備え、引き込み部を引っ張ることにより、圧縮バネを圧縮状態にして、開閉板を開き姿勢から通常姿勢に姿勢変更させ、捕球網を受け部の内部空間に収容するものであれば、捕球するために開閉板を開き姿勢にした後に、元の姿勢（通常姿勢）に戻す作業を簡単に行うことができるとともに、一度広がった捕球網も内部空間内にばらつくことなく収めることができる。
【００１２】
また、応援用具本体を構成する開閉機構が、シャフトのうち受け部側の先端部又はその先端部近傍に設けられ、且つ受け部側へ移動したスライダが当たりスライダのそれ以上同一方向への移動を規制する規制部を備え、規制部及び押圧部によって開閉板の開き姿勢時における最大開き角度を決定し得るようにしているため、シャフトに対する規制部の取付高さ位置や押圧部の長手寸法を適宜調節することによって開閉板の最大開き角度を簡単に設定できる。
【００１３】
開閉板の通常姿勢から開き姿勢への姿勢変更に伴う捕球網が広がる動作を円滑にするためには、捕球網が複数の開閉板の前記通常姿勢から前記開き姿勢への姿勢変更に伴って広がる際に規制部に引っ掛かることを防止する引っ掛かり防止手段を備えた応援捕球用具にすればよい。
【００１４】
引っ掛かり防止手段の好適な態様としては、規制部と各開閉板とを連結するように設けた伸縮可能な複数の紐部材を用いて構成し、開閉板が通常姿勢をとった状態で受け部の内部空間に収容される捕球網の底部を複数の前記紐部材により保持する態様や、規制部のうち、開閉板が通常姿勢をとる受け部の内部空間に収容される捕球網の底部に巻き込まれ得る部分に設けた湾曲面又は傾斜面により構成する態様が挙げられる。
【発明の効果】
【００１５】
本発明の応援捕球用具によれば、開閉板を通常姿勢に位置付けた状態でグリップ部を把持すれば通常のメガホンやバット型応援用具と同じように応援することができるとともに、ワンアクションで受け部を構成する全ての開閉板を通常姿勢から開き姿勢に姿勢変更させて捕球網を広げることができ、飛んできたボールに対して瞬時に対応することができる。
【発明を実施するための最良の形態】
【００１６】
以下、本発明の一実施形態を、図面を参照して説明する。
【００１７】
本実施形態に係る応援捕球用具１は、一例として野球やソフトボールの応援・観戦時に用いることを想定したものであり、図１〜図３等に示すように、バットを模した中空状をなす応援用具本体２と、応援用具本体２における内部空間に弛んだ状態で収容され得る捕球網３とを備え、応援用具本体２をラッパ状に拡開することにより捕球網３が広がり、捕球に適した状態になるものである。
【００１８】
応援用具本体２は、把持可能なグリップ部４と、起立した通常姿勢と通常姿勢よりも外方へ傾倒した開き姿勢との間で回動可能な複数の開閉板５１からなる受け部５と、複数の開閉板５１を同期させて通常姿勢と開き姿勢との間で姿勢変更させる開閉機構６と、複数の開閉板５１を連結する連結部材７とを備えたものである。
【００１９】
グリップ部４は、バットのグリップ部分を模した有底筒状をなすものである。本実施形態では、受け部５側に向かって漸次径を小さく設定し、握り易いようにしている。また、グリップ部４における底部４１と周壁部４２との境界部分にはアール加工処理を施している（図１参照）。
【００２０】
受け部５は、開閉板５１が通常姿勢をとる場合に全体として円筒状をなし（図１及び図２参照）、開閉板５１が開き姿勢をとる場合に全体として先端部（反グリップ部４側端部）が拡開したラッパ形状をなす（図６及び図７参照）ものである。受け部５を構成する開閉板５１は、内向きに湾曲させた板状をなし、基端部（下端部、グリップ側端部）をグリップ部４の先端部（上端部）に枢着して、このヒンジ部５１ａを支点に通常姿勢と開き姿勢との間で回動可能なものである。各開閉板５１は、先端に向かって漸次幅寸法を大きく設定し、通常姿勢をとった状態では、隣り合う開閉板５１の側端面同士が当接し得るようにしている。本実施形態では、５枚の開閉板５１を用いており、隣り合う開閉板５１の中心間の角度θを７２度に設定している。また、各開閉板５１は、図１に示すように、通常姿勢において外方に向かって傾斜し、所定の高さ位置（符号５１ｂ）で傾斜角度を異ならせている。本実施形態では、各開閉板５１が起立姿勢をとった状態において、受け部５の先端における開口径を３００ｍｍに設定し、段部５１ｂにおける開口径を２５０ｍｍに設定している。また、受け部５の基端における開口径を５０ｍｍに設定し、各開閉板５１が起立姿勢をとった状態における受け部５の高さ寸法を４００ｍｍに設定している。これら各部の寸法は一例であって適宜変更することができる。各開閉板５１の先端には、図５に示すように、次に説明する連結部材７が挿通可能な挿通部５１ｃを設けている。本実施形態では、開閉板５１の先端部を内向きに環状に巻く加工処理を施すことによって挿通部５１ｃを形成している。
【００２１】
連結部材７は、図６及び図７に示すように、例えばワイヤ等の線状材からなり、少なくとも隣接する開閉板５１の挿通部５１ｃに連続して挿し通したものである。本実施形態では、１本の連結部材７を全ての開閉板５１における挿通部５１ｃに挿し通している。なお、挿通部５１ｃの内径を連結部材７の外法よりも十分に大きく設定し、連結部材７を挿通部５１ｃに挿し通した状態において、連結部材７が挿通部５１ｃ内で動作不能に拘束されないようにしている。
【００２２】
開閉機構６は、図３及び図４に示すように、グリップ部４及び受け部５における内部空間４Ｓ、５Ｓに起立姿勢で配設したシャフト６１と、シャフト６１に沿って上下移動可能なスライダ６２と、スライダ６２をグリップ部４側から受け部５側に向かって付勢する圧縮バネ６３と、圧縮バネ６３を圧縮させた状態に固定可能な固定部６４と、固定部６４による圧縮バネ６３の圧縮状態を解除し得る解除部６５と、スライダ６２の上方への移動に連動して開閉板５１を開き姿勢をとる方向に向かって押圧する押圧部６６とを備えたものである。
【００２３】
シャフト６１は、下半部をグリップ部４の内部空間４Ｓに位置付け、上半部を受け部５の内部空間５Ｓに位置付けたものである。このシャフト６１は、グリップ部４の内部空間４Ｓに設けた上部側シャフト支持部６１１及び下部側シャフト支持部６１２によって上下動不能に支持されている。
【００２４】
スライダ６２は、中央部にシャフト６１が挿通可能なシャフト貫通孔６２１を有する円盤状のものである。このスライダ６２の外径を、圧縮バネ６３の外径よりも大きく、且つ受け部５の基端における開口径よりも小さく設定している。
【００２５】
圧縮バネ６３は、下部側シャフト支持部６１２上に配置され、上端にスライダ６２を載置した状態で支持するものである。なお、後述するように、圧縮バネ６３の上端部はスライダ６２に固定することができる。本実施形態では、圧縮バネ６３としてコイルバネを適用している。また、圧縮バネ６３の外周に、圧縮バネ６３を被覆し得る筒状の圧縮バネ被覆材６３１を配設している。
【００２６】
固定部６４は、スライダ６２に引っ掛かり得る係合爪６４１ａを先端に設けたカギ部６４１と、係合爪６４１ａがスライダ６２に引っ掛かる方向にカギ部６４１を付勢するカギ用バネ６４２とから構成したものである。そして、圧縮バネ６３を圧縮させた状態でカギ部６４１の係合爪６４１ａをスライダ６２に引っ掛けることにより、圧縮バネ６３を圧縮させた状態に維持することができるようにしている。
【００２７】
解除部６５は、一端部（内方端部）をカギ部６４１の基端部（下端部）に枢着するとともに、他端部（外方端部）を使用者がグリップ部４を把持した状態でアクセス可能な位置に露出させた軸部６５１と、軸部６５１の他端部に設けたボタン部６５２とを備えたものである。軸部６５１はカギ用バネ６４２によって他端部（外方端部）側へ付勢されており、ボタン部６５２をグリップ部４側に押圧することによって、軸部６５１がカギ用バネ６４２の付勢力に抗して一端部（内方端部）側へ移動し、その結果、軸部６５１の一端部（内方端部）に基端部（下端部）を枢着させたカギ部６４１がスライダ６２から外れる方向に移動することにより、固定部６４による圧縮バネ６３の圧縮状態を解除し得るようにしている。なお、軸部６５１及び固定部６４におけるカギ用バネ６４２は、上述した上部側シャフト支持部６１１に固定した筒状の取付部６Ｔ内に保持されている。
【００２８】
押圧部６６は、基端部（下端部）をスライダ６２に枢着するとともに、先端部（上端部）を開閉板５１における内向面に枢着したものである。本実施形態では、押圧部６６として弾性変形不能又は弾性変形し難い材料から形成した棒状のものを適用している。このような押圧部６６を、各開閉板５１とスライダ６２との間に設けている。
【００２９】
また、開閉機構６は、シャフト６１の上端部近傍に設けられ、且つ上方へ移動したスライダ６２が当たりスライダ６２のそれ以上同一方向（上方）への移動を規制する規制部６７をさらに備えている。この規制部６７は、適宜の手段でシャフト６１に固定されている。本実施形態では、規制部６７として、平面寸法及び厚み寸法がスライダ６２と同一又はほぼ同一のものを適用している。
【００３０】
さらに、開閉機構６は、上方へ移動したスライダ６２を下方へ引っ張り戻す引き込み部６８を備えている。引き込み部６８は、先端部（上端部）をスライダ６２に固定し、他端部（下端部）をグリップ部４の下方に露出させた例えば金属製ワイヤ等から形成した引込金具６８１と、引込金具６８１の他端部に設けた指を引っ掛けるための指掛け部６８２とを備えたものである。引込金具６８１は、例えば筒状をなすシャフト６１の中空部を利用して配設されたものである。シャフト６１のうちスライダ６２の移動範囲に相当する部分に、長手方向に延びるスリット（図示省略）を周方向に対向する箇所に形成し、これらスリットを通して両端をスライダ６２にそれぞれ固定した例えば平面視十文字形状をなす固定具６８３に、引込金具６８１の先端部（上端部）を連結している。上述した圧縮バネ６３はこの固定具６３８を介してスライダ６２に取り付けるようにしてもよい。なお、グリップ部４の底部４１には、引込金具６８１が挿通可能な挿通孔を形成している。指掛け部６８２は、例えば引込金具６８１を構成しているワイヤの端部を折り曲げて形成することができ、指を掛け易い概略三角形状をなし、頂部をグリップ部４側に向けた姿勢をなすものである。本実施形態では、指掛け部６８２と引込金具６８１とを一体に形成した引き込み部６８を適用しているが、相互に別体をなす指掛け部と引込金具と一体的に連結した引き込み部であってもよい。
【００３１】
捕球網３は、周縁部を連結部材７に巻回して取り付けるとともに、開閉板５１に接触し得る部分のうち複数箇所を適宜の取付部材３１によって取り付けている（図６参照）。なお、捕球網３における周縁部の網目に連結部材７をジグザグに挿し通すことによってこの捕球網３を連結部材７に取り付けても構わない。
【００３２】
そして、本実施形態に係る応援捕球用具１は、捕球網３が複数の開閉板５１の通常姿勢から開き姿勢への姿勢変更に伴って広がる際に規制部６７に引っ掛かることを防止する引っ掛かり防止手段８をさらに備えている。
【００３３】
引っ掛かり防止手段８は、図３に示すように、規制部６７と各開閉板５１とを連結するように設けた伸縮可能な複数の紐部材８１を用いて構成したものである。各紐部材８１は、開閉板５１が通常姿勢をとる場合において、規制部６７と開閉板５１との間で弛みが出ない程度のテンションが掛かった状態となるものである。紐部材８１は、開閉板５１の通常姿勢と開き姿勢との間の姿勢変更に支障を来さない程度の弾性（伸縮性）を有するものである。このような紐部材８１を複数用いてなる引っ掛かり防止手段８は、開閉板５１が通常姿勢をとる受け部５の内部空間５Ｓに収容される捕球網３の底部を複数の紐部材８１により保持することにより、弛んだ捕球網３の底部が規制部６７の下方に潜り込んでしまうことを防止するものである。なお、本実施形態では、開閉板５１に対する紐部材８１の取り付けを、開閉板５１と押圧部材６６との枢着部分であるヒンジ部５１ｄを利用して行っている。
【００３４】
次に、このような構成をなす応援捕球用具１の使用方法及び作用について説明する。
【００３５】
先ず、観戦時や運搬時或いは保管時には、各開閉板５１を通常姿勢にして受け部５が全体としてほぼ円筒状をなすようにしておく（図１参照）。この場合、固定部６４がスライダ６２を介して圧縮バネ６３を圧縮状態に固定（維持）することにより、開閉板５１が不意に通常姿勢から開き姿勢へ姿勢変更することを規制している。受け部５が全体としてほぼ円筒状をなす状態にある応援捕球用具１を、メガホン、或いは両手にそれぞれ持って打ち鳴らすことが可能な応援用具として使用することができる。また、捕球網３は、受け部５の内部空間５Ｓ内において底部を弛ませた状態となるが、捕球網３の底部が前述した複数の紐部材８１に保持されることにより、規制部６７よりも下方に潜り込まない状態で受け部５の内部空間５Ｓに収容されている。
【００３６】
そして、観戦エリアにボールが飛んできた際には、グリップ部４を把持したままで外部に露出しているボタン部６５２を押圧する。ボタン部６５２を押圧する操作に伴って軸部６５１が内方へ移動し、軸部６５１に下端部を枢着したカギ部６４１がカギ用バネ６４２の付勢力に抗して回動して、カギ部６４１の係合爪６４１ａとスライダ６２との係合状態が解除される。係合爪６４１ａとスライダ６２との係合状態が解除されると同時又はほぼ同時に、圧縮バネ６３が伸張し、スライダ６２がシャフト６１に沿って受け部５側（上方）へ移動する。スライダ６２が上方へ移動する動作に伴って、押圧部６６のうち、その基端部が上方へ移動し、開閉板５１に枢着した先端部が開閉板５１を外方に向かって押圧する。その結果、連結部材７によって連結された全ての開閉板５１が一斉に通常姿勢から開き姿勢に姿勢変更し、連結部材７に支持された捕球網３が広がる（図６及び図７参照）。したがって、この広がった捕球網３によって飛んでくるボールを捕ることが可能である。なお、上方へ移動したスライダ６２は規制部６７に当たることによりそれ以上同一方向（上方）への移動が規制される。各開閉板５１の開き角度は、シャフト６１に対する規制部６７の取付高さ位置及び押圧部６６の長手寸法によって規定される。また、規制部６７に引っ掛かることなく広がった捕球網３は、適度なテンションが掛かっているものの、完全に突っ張った（広がりきった）状態ではないため、捕球時の衝撃でボールが跳ね返るという事態を回避又は抑制することができる。
【００３７】
一方、開閉板５１を開き姿勢から通常姿勢に戻すには、引き込み部６８における指掛け部６８２に指を掛けて引っ張ればよい。この操作に伴って引き込み部６８における引込金具６８１に固定具６８３を介して連結されたスライダ６２がグリップ部４側（下方）へ強制的に引き戻される。スライダ６２が下方へ移動することにより、押圧部６６の基端部（下端部）も下方へ移動し、これに連動して開閉板５１が開き姿勢から通常姿勢に姿勢変更する。なお、スライダ６２がある程度引き戻された時点で、固定部６４におけるカギ部６４１の係合爪６４１ａに当たり得るが、スライダ６２及び係合爪６４１ａにそれぞれスライダ側湾曲部６２ｗ、係合爪側湾曲部６４１ｗを形成し（図４参照）、これら湾曲部６２ｗ、６４１ｗ同士が当たることにより、スライダ６２の下方への移動に伴って係合爪６４１ａがスライダ６２から逃げる方向へカギ部６４１全体がカギ用バネ６４２の付勢力に抗してスムーズに回動する。そして、スライダ６２が係合爪６４１ａを乗り越えた時点でカギ部６４１全体がカギ用バネ６４２の付勢力により係合爪６４１ａがスライダ６２に係合する姿勢に自動復帰し、圧縮バネ６３を圧縮状態に固定することができる。また、捕球網３は、その底部が複数の紐部材８１に保持されることにより、規制部６７よりも下方に潜り込まない状態で受け部５の内部空間５Ｓに収容される。
【００３８】
このように本実施形態に係る応援捕球用具１は、受け部５を構成する各開閉板５１を通常姿勢にした状態で通常のメガホンやバット型応援用具として使用することができるとともに、ワンアクションで各開閉板５１が通常姿勢から開き姿勢へ姿勢変更し、その姿勢変更に伴って捕球網３が広がるように構成しているため、ボールが飛んできた場合には直ぐに捕球可能な状態をとることができ、瞬時に対応できる。
【００３９】
また、開閉機構６が、シャフト６１と、シャフト６１に沿って上下移動可能なスライダ６２と、スライダ６２を上方に向かって付勢する圧縮バネ６３と、圧縮バネ６３を圧縮させた状態に固定し得る固定部６４と、固定部６４による圧縮バネ６３の圧縮状態を解除し得る解除部６５と、スライダ６２の上方への移動に連動して開閉板５１を開き姿勢をとる方向に向かって押圧する押圧部６６とを備えたものであるため、解除部６５に対して所定の操作力、具体的にはボタンを押圧する操作力を付与することにより、圧縮バネ６３の圧縮状態を解除して、複数の開閉板５１を通常姿勢から開き姿勢に同期させながら適切に姿勢変更させることができ、この開閉板５１の姿勢変更により捕球網３を瞬時に広げることができる。
【００４０】
加えて、開閉機構６が、上方へ移動したスライダ６２を下方へ引っ張り戻す引き込み部６８を備え、引き込み部６８を引っ張ることにより、圧縮バネ６３を圧縮状態にして、開閉板５１を開き姿勢から通常姿勢に姿勢変更させ、捕球網３を受け部５の内部空間５Ｓに収容するものであるため、捕球するために開閉板５１を開き姿勢にした後に再度元の姿勢（通常姿勢）に戻す作業を簡単且つスムーズに行うことができるとともに、一度広がった捕球網３も開閉板５１の開き姿勢から通常姿勢への姿勢変更に伴って受け部５の内部空間５Ｓに収めることができ、好適である。
【００４１】
また、開閉機構６が、シャフト６１の上端部又は上端部近傍に設けられ、且つ上方へ移動したスライダ６２が当たりスライダ６２のそれ以上上方への移動を規制する規制部６７を備え、規制部６７及び押圧部６６によって開閉板５１の開き姿勢時における最大開き角度を決定し得るようにしているため、シャフト６１に対する規制部６７の取付高さ位置や押圧部６６の長手寸法を適宜調節することによって開閉板５１の最大開き角度を簡単に設定できる。
【００４２】
さらに、本実施形態に係る応援捕球用具１は、捕球網３が複数の開閉板５１の通常姿勢から開き姿勢への姿勢変更に伴って広がる際に規制部６７に引っ掛かることを防止する引っ掛かり防止手段８を備えたものであるため、開閉板５１の通常姿勢から開き姿勢への姿勢変更に伴う捕球網３が広がる動作を円滑にすることができる。
【００４３】
特に、引っ掛かり防止手段８を、規制部６７と各開閉板５１とを連結するように設けた伸縮可能な複数の紐部材８１を用いて構成し、開閉板５１が通常姿勢をとる受け部５の内部空間５Ｓに収容される捕球網３の底部を複数の紐部材８１によって保持するようにしているため、簡単な構成でありながら捕球網３の底部が規制部６７よりも下方に落ち沈むことを回避することができ、開閉板５１の通常姿勢から開き姿勢への姿勢変更に伴う捕球網３が広がる動作を円滑にすることができる。
【００４４】
なお、本発明は上述した実施形態に限定されるものではない。例えば、受け部を構成する開閉板の数を適宜増減してもよい。
【００４５】
また、上述した実施形態では、複数の開閉板を１つの連結部材によって連結した態様を例示したが、隣り合う開閉板同士を連結する連結部材を複数用いる態様であっても構わない。連結部材として、ワイヤに代えて合成樹脂製の強度の高い紐を適用してもよい。
【００４６】
また、開閉機構が、操作用スイッチを押圧する操作力、又は操作用スライダを所定方向にスライド移動させる操作力、或いは操作用ノブを回転させる操作力を受けることによって複数の開閉板を同期させて通常姿勢と開き姿勢との間で姿勢変更させるものであっても構わない。
【００４７】
また、シャフトに対する規制部の取付高さ位置を複数位置から選択可能に構成し、シャフトに対する規制部の取付高さ位置を手動又は自動で変更することによって開閉板の最大開き角度を調整できるようにしてもよい。押圧部の長手寸法を手動又は自動で変更することによって開閉板の最大開き角度を調整できるようにしてもよい。
【００４８】
また、捕球網が複数の開閉板の通常姿勢から開き姿勢への姿勢変更に伴って広がる際に規制部に引っ掛かることを防止する引っ掛かり防止手段として、図８に示すように、規制部Ａ６７のうち、開閉板５１が通常姿勢をとる受け部５の内部空間５Ｓに収容される捕球網３の底部に巻き込まれ得る部分に設けた湾曲面Ａ６７１を適用しても構わない。この場合、湾曲部Ａ６７１を上方から巻き込んだ捕球網３の底部は、開閉板５１の通常姿勢から開き姿勢への姿勢変更に伴って上方に移動しながら広がる際に湾曲部Ａ６７１に引っ掛かることなく滑る。したがって、開閉板５１の通常姿勢から開き姿勢への姿勢変更に伴う捕球網３が広がる動作を円滑にすることができる。なお、湾曲面に代えてテーパ面（傾斜面）によって引っ掛かり防止手段を構成してもよい。
【００４９】
また、受け部が開閉板を通常姿勢に位置付けて全体として円筒状になっている状態において、捕球網の底部がシャフトの上端部及び規制部と緩衝しないように、捕球網のたるみ量（たるみ具合）を調整することにより、捕球網の引っ掛かりを防止するようにしても構わない。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の一実施形態に係る応援捕球用具の正面図を一部省略して模式的に示す図。
【図２】図１に示す応援捕球用具の平面図を一部省略して模式的に示す図。
【図３】図１に示す応援捕球用具の断面図を模式的に示す図。
【図４】図３の要部拡大図。
【図５】図１のＡ領域拡大断面図。
【図６】同実施形態において開閉板が開き姿勢をとった状態の応援捕球用具の正面図を一部省略して模式的に示す図。
【図７】図６に示す応援捕球用具の平面図を一部省略して模式的に示す図。
【図８】同実施形態に係る応援捕球用具が備える引っ掛かり防止手段の一変形例を模式的に示す図。
【符号の説明】
【００５２】
１…応援捕球用具
２…応援用具本体
３…捕球網
４…グリップ部
５…受け部
５１…開閉板
６…開閉機構
６１…シャフト
６２…スライダ
６３…圧縮バネ
６４…固定部
６５…解除部
６６…押圧部
６７、Ａ６７…規制部
６８…引き込み部
７…連結部材
８…引っ掛かり防止手段
８１…紐部材
【図１】
2010115289.tif 000003
【図２】
2010115289.tif 000004
【図３】
2010115289.tif 000005
【図４】
2010115289.tif 000006
【図５】
2010115289.tif 000007
【図６】
2010115289.tif 000008
【図７】
2010115289.tif 000009
【図８】
2010115289.tif 000010